(57)【特許請求の範囲】
【請求項１】
複数のチャンネルの中からユーザにより選択されたチャンネルの番組を受信し、出力する放送信号処理部と、
前記チャンネルの切り替えを含む第１の情報処理を実行することが可能な実行部と、
前記放送信号処理部により出力された前記番組を表示する表示領域と、前記実行部にアクセスするための第１のＵＲＬ（Uniform Resource Locator）に関連付けられた第１の情報と、前記表示領域に表示された前記番組に関する情報の送信を含む第２の情報処理を実行することが可能なグローバルネットワーク上のサーバにアクセスするための第２のＵＲＬに関連付けられた第２の情報とを有する表示画像を生成する生成部と、
前記ユーザにより前記表示画像内の前記第１の情報が選択された場合に、当該選択された第１の情報に関連付けられた前記第１のＵＲＬをもとに、前記実行部に前記第１の情報処理の実行を要求する第１の要求部と、
前記ユーザにより前記表示画像内の前記第２の情報が選択された場合に、当該選択された第２の情報に関連付けられた前記第２のＵＲＬをもとに、前記サーバに前記第２の情報処理の実行を要求する第２の要求部と
を具備し、
前記第１の要求部は、前記実行部により前記チャンネルが切り替えられた場合に、当該切り替えられた後の新たなチャンネルの情報の検出を、前記実行部に要求し、
前記第２の要求部は、前記実行部により検出された前記新たなチャンネルの情報をもとに、前記サーバに、前記新たなチャンネルの番組に関する情報の送信を要求し、
前記生成部は、前記サーバから送信された前記新たなチャンネルの番組に関する情報をもとに、前記新たなチャンネルの番組が表示された前記表示領域を含み、かつ前記新たなチャンネルの番組に関する情報を前記第２の情報として含む前記表示画像を生成する
情報処理装置。
【請求項２】
請求項１に記載の情報処理装置であって、
前記新たなチャンネルの番組に関する情報は、前記新たなチャンネルの番組のタイトル、前記新たなチャンネルの番組のサムネイル画像、前記新たなチャンネルの番組の出演者の名前、前記新たなチャンネルの番組に関する作品の情報、及び前記新たなチャンネルの番組に関するコメントのうちの少なくとも１つを含む
情報処理装置。
【請求項３】
請求項１又は２に記載の情報処理装置であって、
前記第２の情報処理は、前記表示領域に表示された前記番組のＷｅｂページの送信、前記表示領域に表示された前記番組に関するキーワードの検索結果を示すＷｅｂページの送信、前記表示領域に表示された前記番組に関する作品のオンライン購入用のＷｅｂページの送信、及び前記表示領域に表示された前記番組に関するコメントを表示するＷｅｂページの送信のうちの少なくとも１つを含む
情報処理装置。
【請求項４】
請求項３に記載の情報処理装置であって、
前記生成部は、前記表示領域と、前記サーバから送信されたＷｅｂページを表示する領域とを含む前記表示画像を生成する
情報処理装置。
【請求項５】
請求項１から４のうちいずれか１項に記載の情報処理装置であって、
前記第１の要求部は、前記チャンネルが切り替えられた場合に、前記新たなチャンネルの番組で再生される音楽の解析を、前記実行部に要求し、
前記第２の要求部は、前記実行部による前記音楽の解析結果をもとに、前記サーバに、前記新たなチャンネルの前記番組で再生される音楽に関する音楽情報の送信を要求し、
前記生成部は、前記サーバから送信された前記音楽情報を前記第２の情報として含む前記表示画像を生成する
情報処理装置。
【請求項６】
請求項５に記載の情報処理装置であって、
前記音楽情報は、前記新たなチャンネルの番組で再生される音楽のタイトル、及び当該音楽に関するサムネイル画像のいずれかを含む
情報処理装置。
【請求項７】
請求項１から６のうちいずれか１項に記載の情報処理装置であって、
前記第１及び前記第２のＵＲＬは、ともにＨＴＴＰリクエストのＵＲＬである
情報処理装置。
【請求項８】
請求項１から７のうちいずれか１項に記載の情報処理装置であって、
前記表示画像は、前記ユーザの選択の対象となる第３の情報を含み、
前記情報処理装置は、さらに、前記ユーザによる前記第３の情報の選択に応じて、当該第３の情報を前記第１及び前記第２のＵＲＬのいずれか一方に関連付ける設定部を具備する
情報処理装置。
【請求項９】
放送信号処理部が、複数のチャンネルの中からユーザにより選択されたチャンネルの番組を受信して出力し、
実行部が、前記チャンネルの切り替えを含む第１の情報処理を実行し、
生成部が、前記放送信号処理部により出力された前記番組を表示する表示領域と、前記実行部にアクセスするための第１のＵＲＬ（Uniform Resource Locator）に関連付けられた第１の情報と、前記表示領域に表示された前記番組に関する情報の送信を含む第２の情報処理を実行することが可能なグローバルネットワーク上のサーバにアクセスするための第２のＵＲＬに関連付けられた第２の情報とを有する表示画像を生成し、
第１の要求部が、前記ユーザにより前記表示画像内の前記第１の情報が選択された場合に、当該選択された第１の情報に関連付けられた前記第１のＵＲＬをもとに、前記実行部に前記第１の情報処理の実行を要求し、
第２の要求部が、前記ユーザにより前記表示画像内の前記第２の情報が選択された場合に、当該選択された第２の情報に関連付けられた前記第２のＵＲＬをもとに、前記サーバに前記第２の情報処理の実行を要求し、
前記第１の要求部は、前記実行部により前記チャンネルが切り替えられた場合に、当該切り替えられた後の新たなチャンネルの情報の検出を、前記実行部に要求し、
前記第２の要求部は、前記実行部により検出された前記新たなチャンネルの情報をもとに、前記サーバに、前記新たなチャンネルの番組に関する情報の送信を要求し、
前記生成部は、前記サーバから送信された前記新たなチャンネルの番組に関する情報をもとに、前記新たなチャンネルの番組が表示された前記表示領域を含み、かつ前記新たなチャンネルの番組に関する情報を前記第２の情報として含む前記表示画像を生成する
情報処理方法。
【請求項１０】
複数のチャンネルの中からユーザにより選択されたチャンネルの番組を受信し、出力する放送信号処理部と、
前記チャンネルの切り替えを含む第１の情報処理を実行することが可能な実行部と、
前記放送信号処理部により出力された前記番組を表示する表示領域と、前記実行部にアクセスするための第１のＵＲＬ（Uniform Resource Locator）に関連付けられた第１の情報と、前記表示領域に表示された前記番組に関する情報の送信を含む第２の情報処理を実行することが可能なグローバルネットワーク上のサーバにアクセスするための第２のＵＲＬに関連付けられた第２の情報とを有する表示画像を生成する生成部と、
前記ユーザにより前記表示画像内の前記第１の情報が選択された場合に、当該選択された第１の情報に関連付けられた前記第１のＵＲＬをもとに、前記実行部に前記第１の情報処理の実行を要求する第１の要求部と、
前記ユーザにより前記表示画像内の前記第２の情報が選択された場合に、当該選択された第２の情報に関連付けられた前記第２のＵＲＬをもとに、前記サーバに前記第２の情報処理の実行を要求する第２の要求部と
としてコンピュータを機能させることが可能であり、
前記第１の要求部による、前記実行部により前記チャンネルが切り替えられた場合に、当該切り替えられた後の新たなチャンネルの情報の検出を、前記実行部に要求するステップと、
前記第２の要求部による、前記実行部により検出された前記新たなチャンネルの情報をもとに、前記サーバに、前記新たなチャンネルの番組に関する情報の送信を要求するステップと、
前記生成部による、前記サーバから送信された前記新たなチャンネルの番組に関する情報をもとに、前記新たなチャンネルの番組が表示された前記表示領域を含み、かつ前記新たなチャンネルの番組に関する情報を前記第２の情報として含む前記表示画像を生成するステップと
を実行させるプログラム。
【請求項１１】
（ａ）複数のチャンネルの中からユーザにより選択されたチャンネルの番組を受信して出力することが可能であり、前記チャンネルの切り替えを含む第１の情報処理を実行することが可能な第１の情報処理端末と、
（ｂ）前記第１の情報処理端末により出力された前記番組を表示する表示領域と、前記第１の情報処理端末にアクセスするための第１のＵＲＬ（Uniform Resource Locator）に関連付けられた第１の情報と、前記表示領域に表示された前記番組に関する情報の送信を含む第２の情報処理を実行することが可能なグローバルネットワーク上のサーバにアクセスするための第２のＵＲＬに関連付けられた第２の情報とを有する表示画像を生成する生成部と、
前記ユーザにより前記表示画像内の前記第１の情報が選択された場合に、当該選択された第１の情報に関連付けられた前記第１のＵＲＬをもとに、前記第１の情報処理端末に前記第１の情報処理の実行を要求する第１の要求部と、
前記ユーザにより前記表示画像内の前記第２の情報が選択された場合に、当該選択された第２の情報に関連付けられた前記第２のＵＲＬをもとに、前記サーバに前記第２の情報処理の実行を要求する第２の要求部と
を有し、
前記第１の要求部は、前記第１の情報処理端末により前記チャンネルが切り替えられた場合に、当該切り替えられた後の新たなチャンネルの情報の検出を、前記第１の情報処理端末に要求し、
前記第２の要求部は、前記第１の情報処理端末により検出された前記新たなチャンネルの情報をもとに、前記サーバに、前記新たなチャンネルの番組に関する情報の送信を要求し、
前記生成部は、前記サーバから送信された前記新たなチャンネルの番組に関する情報をもとに、前記新たなチャンネルの番組が表示された前記表示領域を含み、かつ前記新たなチャンネルの番組に関する情報を前記第２の情報として含む前記表示画像を生成する、
ローカルネットワークを通じて前記第１の情報処理端末と接続可能な第２の情報処理端末と
を具備する情報処理システム。
【請求項１２】
複数のチャンネルの中からユーザにより選択されたチャンネルの番組を受信して出力することが可能であり、前記チャンネルの切り替えを含む第１の情報処理を実行することが可能なローカルネットワーク上の情報処理端末にアクセスするための第１のＵＲＬ（Uniform Resource Locator）に関連付けられた第１の情報と、前記情報処理端末により出力された前記番組を表示する表示領域と、前記表示領域に表示された前記番組に関する情報の送信を含む第２の情報処理を実行することが可能なグローバルネットワーク上のサーバにアクセスするための第２のＵＲＬに関連付けられた第２の情報とを有する表示画像を生成する生成部と、
前記ユーザにより前記表示画像内の前記第１の情報が選択された場合に、当該選択された第１の情報に関連付けられた前記第１のＵＲＬをもとに、前記情報処理端末に前記第１の情報処理の実行を要求する第１の要求部と、
前記ユーザにより前記表示画像内の前記第２の情報が選択された場合に、当該選択された第２の情報に関連付けられた前記第２のＵＲＬをもとに、前記サーバに前記第２の情報処理の実行を要求する第２の要求部と
を具備し、
前記第１の要求部は、前記情報処理端末により前記チャンネルが切り替えられた場合に、当該切り替えられた後の新たなチャンネルの情報の検出を、前記情報処理端末に要求し、
前記第２の要求部は、前記情報処理端末により検出された前記新たなチャンネルの情報をもとに、前記サーバに、前記新たなチャンネルの番組に関する情報の送信を要求し、
前記生成部は、前記サーバから送信された前記新たなチャンネルの番組に関する情報をもとに、前記新たなチャンネルの番組が表示された前記表示領域を含み、かつ前記新たなチャンネルの番組に関する情報を前記第２の情報として含む前記表示画像を生成する
情報処理装置。
【発明の詳細な説明】
【技術分野】
【０００１】
本技術は、グローバルネットワーク上のサーバが提供するネットワークサービスを利用することが可能な情報処理装置、情報処理方法、プログラム、及び情報処理システムに関する。
【背景技術】
【０００２】
従来、インターネット等に接続可能なテレビ受像機やビデオ機器が知られている。例えば特許文献１には、インターネット上のサーバから、現在視聴しているテレビ番組に応じた情報を取得可能なテレビ受像器が記載されている（特許文献１の明細書［００７０］、［００７１］、図５等参照）。
【先行技術文献】
【特許文献】
【０００３】
【特許文献１】特開２００４−３１８４７５号公報
【発明の概要】
【発明が解決しようとする課題】
【０００４】
特許文献１に記載のテレビ受像器のような、グローバルネットワーク上のサーバが提供するネットワークサービスを利用可能な家電機器等が、今後も普及していくと思われる。
【０００５】
以上のような事情に鑑み、本技術の目的は、ネットワークサービスを利用可能な操作性の高い情報処理装置、情報処理方法、プログラム、及び情報処理システムを提供することにある。
【課題を解決するための手段】
【０００６】
上記目的を達成するため、本技術の一形態に係る情報処理装置は、実行部と、生成部と、第１の要求部と、第２の要求部とを具備する。  
前記実行部は、第１の情報処理を実行することが可能である。  
前記生成部は、前記実行部にアクセスするための第１のアクセス情報に関連付けられた第１の情報と、第２の情報処理を実行することが可能なグローバルネットワーク上のサーバにアクセスするための第２のアクセス情報に関連付けられた第２の情報とを有する表示画像を生成する。  
前記第１の要求部は、前記第１の情報に関連付けられた前記第１のアクセス情報をもとに、前記実行部に前記第１の情報処理の実行を要求する。  
前記第２の要求部は、前記第２の情報に関連付けられた前記第２のアクセス情報をもとに、前記サーバに前記第２の情報処理の実行を要求する。
【０００７】
この情報処理装置では、第１のアクセス情報に関連付けられた第１の情報と、第２のアクセス情報に関連付けられた第２の情報とを有する表示画像が生成される。第１のアクセス情報は情報処理装置が具備する実行部にアクセスするための情報であり、これにもとに実行部に第１の情報処理の実行が要求される。第２のアクセス情報はグローバルネットワーク上のサーバにアクセスするための情報であり、これにもとにサーバに第２の情報処理の実行が要求される。このように第１及び第２の情報処理の実行が、第１及び第２のアクセス情報をもとにそれぞれ要求される。これによりユーザの操作性を向上させることができる。
【０００８】
前記情報処理装置は、複数のチャンネルの中からユーザにより選択されたチャンネルの番組を受信し、出力する放送信号処理部をさらに具備してもよい。この場合、前記表示画像は、前記番組を表示する表示領域を有してもよい。また前記第１の情報処理は、前記チャンネルの切替処理を含んでもよい。  
このように、第１及び第２の情報を有する表示画像に、番組を表示する表示領域が設けられてもよい。例えばユーザにより第１の情報が選択されることで、チャンネル切替処理が実行される。
【０００９】
前記第１の情報処理は、前記番組で流れている音楽の解析処理を含んでもよい。  
このように、例えばユーザにより第１の情報が選択されることで、番組で流れている音楽の解析処理が実行されてもよい。
【００１０】
前記第１及び第２のアクセス情報は、それぞれＵＲＬ（Uniform Resource Locator）であってもよい。  
このように第１及び第２のアクセス情報としてＵＲＬが用いられてもよい。これにより、例えばサーバのＵＲＬへのハイパーリンクと、実行部のＵＲＬへのハイパーリンクとがともに存在するｗｅｂページ等を表示画像として生成することが可能となる。
【００１１】
本技術の一形態に係る情報処理方法は、実行部が、第１の情報処理を実行することを含む。  
生成部により、前記実行部にアクセスするための第１のアクセス情報に関連付けられた第１の情報と、第２の情報処理を実行することが可能なグローバルネットワーク上のサーバにアクセスするための第２のアクセス情報に関連付けられた第２の情報とを有する表示画像が生成される。  
第１の要求部により、前記第１の情報に関連付けられた前記第１のアクセス情報をもとに、前記実行部に前記第１の情報処理の実行が要求される。  
第２の要求部により、前記第２の情報に関連付けられた前記第２のアクセス情報をもとに、前記サーバに前記第２の情報処理の実行が要求される。
【００１２】
本技術の一形態に係るプログラムは、実行部と、生成部と、第１の要求部と、第２の要求部と、としてコンピュータを機能させる。  
前記実行部は、第１の情報処理を実行することが可能である。  
前記生成部は、前記実行部にアクセスするための第１のアクセス情報に関連付けられた第１の情報と、第２の情報処理を実行することが可能なグローバルネットワーク上のサーバにアクセスするための第２のアクセス情報に関連付けられた第２の情報とを有する表示画像を生成する。  
前記第１の要求部は、前記第１の情報に関連付けられた前記第１のアクセス情報をもとに、前記実行部に前記第１の情報処理の実行を要求する。  
前記第２の要求部は、前記第２の情報に関連付けられた前記第２のアクセス情報をもとに、前記サーバに前記第２の情報処理の実行を要求する。
【００１３】
本技術の一形態に係る情報処理システムは、第１の情報処理端末と、第２の情報処理端末とを具備する。  
前記第１の情報処理端末は、第１の情報処理を実行することが可能である。  
前記第２の情報処理端末は、実行部と、生成部と、第１の要求部と、第２の要求部とを有し、ローカルネットワークを通じて前記第１の情報処理端末と接続可能である。  
前記実行部は、前記第１の情報処理端末にアクセスするための第１のアクセス情報に関連付けられた第１の情報と、第２の情報処理を実行することが可能なグローバルネットワーク上のサーバにアクセスするための第２のアクセス情報に関連付けられた第２の情報とを有する表示画像を生成する。  
前記第１の要求部は、前記第１の情報に関連付けられた前記第１のアクセス情報をもとに、前記第１の情報処理端末に前記第１の情報処理の実行を要求する。  
前記第２の要求部は、前記第２の情報に関連付けられた前記第２のアクセス情報をもとに、前記サーバに前記第２の情報処理の実行を要求する。
【００１４】
このように、第１の情報処理を実行する第１の情報処理端末と、表示画像を生成し第１の情報処理端末及びサーバに情報処理の実行を要求することが可能な第２の情報処理端末とが、ローカルネットワークを介して接続されてもよい。これにより第２の情報処理端末を使用するユーザの操作性を向上させることができる。
【００１５】
本技術の他の形態に係る情報処理装置は、生成部と、第１の要求部と、第２の要求部とを具備する。  
前記生成部は、第１の情報処理を実行することが可能なローカルネットワーク上の情報処理端末にアクセスするための第１のアクセス情報に関連付けられた第１の情報と、第２の情報処理を実行することが可能なグローバルネットワーク上のサーバにアクセスするための第２のアクセス情報に関連付けられた第２の情報とを有する表示画像を生成する。
前記第１の要求部は、前記第１の情報に関連付けられた前記第１のアクセス情報をもとに、前記情報処理端末に前記第１の情報処理の実行を要求する。  
前記第２の要求部は、前記第２の情報に関連付けられた前記第２のアクセス情報をもとに、前記サーバに前記第２の情報処理の実行を要求する。
【発明の効果】
【００１６】
以上のように、本技術によれば、ネットワークサービスを利用可能な操作性の高い情報処理装置、情報処理方法、プログラム、及び情報処理システムを提供することができる。
【図面の簡単な説明】
【００１７】
【図１】本技術の第１の実施形態に係る情報処理装置を含むネットワークシステムを示す模式的な図である。
【図２】図１に示す情報処理装置の構成例を示す模式的なブロック図である。
【図３】図１に示す情報処理装置のソフトウェア構成例を示す模式的なブロック図である。
【図４】図３に示すＷｅｂブラウザにより生成される表示画像の一例を示す模式的な図である。
【図５】第１の実施形態に係るチャンネル切替処理の流れを示す模式的なシーケンス図である。
【図６】第１の実施形態に係る第１の情報処理の流れを示す模式的なシーケンス図である。
【図７】図１に示すインターネット上のサーバによる第２の情報処理の流れを示す模式的なシーケンス図である。
【図８】図４に示す表示画像内の番組Ａのタイトル、及び番組Ａのサムネイル画像が選択されたときの表示画像を示す模式的な図である。
【図９】図４に示す表示画像内の番組Ａの出演者の名前が選択されたときの表示画像を示す模式的な図である。
【図１０】図４に示す表示画像内の番組Ａに関連する作品のサムネイル画像、当該作品のタイトル、及び番組Ａで流れている音楽（ＢＧＭ）のタイトル、当該音楽のサムネイル画像が選択されたときの表示画像を示す模式的な図である。
【図１１】図４に示す表示画像内の番組Ａに関連するコメントが選択されたときの表示画像を示す模式的な図である。
【図１２】本技術の第２の実施形態に係る情報処理装置及び情報処理システムを含むネットワークシステムを示す模式的な図である。
【図１３】図１２に示す情報処理システムの動作の一例を説明するための図であり、携帯端末を示す模式的な図である。
【図１４】図４に示す表示画像の変形例を示す模式的な図である。
【発明を実施するための形態】
【００１８】
以下、本技術に係る実施形態を、図面を参照しながら説明する。
【００１９】
＜第１の実施形態＞
図１は、本技術の第１の実施形態に係る情報処理装置を含むネットワークシステムを示す模式的な図である。
【００２０】
ネットワークシステム１００は、グローバルネットワークとしてのインターネット１０と、インターネット１０に接続可能な本実施形態に係る情報処理装置２００を有する。またネットワークシステム１００は、インターネット１０を介して情報処理装置２００にネットワークサービスを提供することが可能な複数のサーバ３００を有する。
【００２１】
インターネット１０は、典型的には、ＴＣＰ／ＩＰ（Transmission Control Protocol/Internet Protocol）を利用したネットワークである。しかしながら他のプロトコルを利用したグローバルネットワークが用いられてもよい。
【００２２】
サーバ３００から情報処理装置２００に提供されるネットワークサービスとしては、例えば映画や音楽等のコンテンツの提供、ニュース等の情報の提供、オンライン掲示板の運営、オンラインチャットの仲介、ゲームの提供等がある。しかしながらこれらのものに限定されず、種々のネットワークサービスが提供されてよい。
【００２３】
例えばサーバ３００は、ＷＷＷ（World Wide Web）システムを用いて、インターネット１０上に、複数のＷｅｂページからなるＷｅｂサイトを公開する。Ｗｅｂページは、ＨＴＭＬ（Hyper Text Markup Language）文書であり、文書内には画像や音楽等の情報や他のＷｅｂページへのハイパーリンク等が埋め込まれている。またＷｅｂページには、例えばＷｅｂページのデザイン性を向上させるためのスタイルシート、及びＨＴＭＬだけでは実現できない機能を発揮させるためのスクリプト等が用いられる。本実施形態では、スクリプトを記載するスクリプト言語として、Ｊａｖａ（登録商標）Ｓｃｒｉｐｔが用いられるが、これに限定されるわけではない。
【００２４】
情報処理装置２００は、例えばサーバ３００へのアクセス情報をもとに、Ｗｅｂサイトのトップページ（Ｗｅｂページの１つ）をリクエストする。リクエストを受けたサーバ３００は、トップページを表すＨＴＭＬ文書やトップページを構成するための画像データ等をレスポンスとして情報処理装置２００に送信する。
【００２５】
本実施形態では、サーバ３００へのアクセス情報としてＵＲＬ(Uniform Resource Locator)が用いられる。そして当該ＵＲＬをもとにしたリクエストが情報処理装置２００からサーバ３００に送信される。
【００２６】
上記したＷｅｂページ取得のリクエストに限られず、情報処理装置２００からサーバ３００に、ＵＲＬをもとにした種々のリクエストが送信される。当該リクエストをもとにサーバ３００により種々の情報処理が実行される。
【００２７】
例えばコンテンツやプログラム等の格納位置を示すＵＲＬをもとに、当該コンテンツの送信処理やプログラムの実行処理等がサーバ３００に要求される。これによりサーバ３００から情報処理装置２００に、種々のネットワークサービスが提供される。
【００２８】
このように本実施形態では、サーバ３００にアクセスするためのＵＲＬ（第２のアクセス情報）をもとに、サーバ３００に所定の情報処理（第２の情報処理）の実行が要求される。
【００２９】
本実施形態では、ＨＴＴＰ（Hyper Text Transfer Protocol）により、サーバ３００と情報処理装置２００との間でデータ通信が行われる。すなわち情報処理装置２００からサーバ３００に、ＵＲＬをもとにＨＴＴＰリクエストが送信される。それに応答して、サーバ３００から情報処理装置２００にＨＴＴＰレスポンスが送信される。
【００３０】
しかしながらインターネット１０上で用いられる通信プロトコルや通信方式等は特に限定されず、種々のものが用いられてよい。またインターネット１０上のサーバ３００の数も限定されない。
【００３１】
［情報処理装置の構成］
図２は、本実施形態に係る情報処理装置２００の構成例を示す模式的なブロック図である。情報処理装置２００としては、例えばＰＣ（Personal Computer）等の種々のコンピュータが用いられる。例えばインターネット１０に接続可能なテレビ受像器やＢＤ（Blu-ray Disc）レコーダ等が用いられてもよい。
【００３２】
情報処理装置２００は、ＣＰＵ（Central Processing Unit）２０１、ＲＯＭ（Read Only Memory）２０２、ＲＡＭ（Random Access Memory）２０３、入出力インターフェース２０５、及び、これらを互いに接続するバス２０４を備える。
【００３３】
ＣＰＵ２０１は、必要に応じてＲＡＭ２０３等に適宜アクセスし、各種演算処理を行いながら情報処理装置２００の各ブロック全体を統括的に制御する。ＲＯＭ２０２は、ＣＰＵ２０１に実行させるＯＳ（Operating System）、プログラムや各種パラメータなどのファームウェアが固定的に記憶されている不揮発性のメモリである。ＲＡＭ２０３は、ＣＰＵ２０１の作業用領域等として用いられ、ＯＳ、実行中の各種アプリケーション、処理中の各種データを一時的に保持する。
【００３４】
入出力インターフェース２０５には、表示部２０６、入力部２０７、記憶部２０８、通信部２０９、チューナ部２１０、ドライブ部２１１等が接続される。
【００３５】
表示部２０６は、例えば液晶、ＥＬ（Electro-Luminescence）、ＣＲＴ（Cathode Ray Tube）等を用いた表示デバイスである。
【００３６】
入力部２０７は、例えばコントローラ、ポインティングデバイス、キーボード、タッチパネル、その他の操作装置である。入力部２０７がタッチパネルを含む場合、そのタッチパネルは表示部２０６と一体となり得る。
【００３７】
記憶部２０８は、不揮発性の記憶デバイスであり、例えばＨＤＤ（Hard Disk Drive）、フラッシュメモリ、その他の固体メモリである。
【００３８】
チューナ部２１０は、例えば地上デジタルテレビジョン放送、ＣＳデジタル放送、ＢＳデジタル放送など、放送局から配信されてくる番組のコンテンツデータを受信し、ビデオ信号およびオーディオ信号の復調などを行う。
【００３９】
例えば入力部２０７としてのリモートコントローラにより、複数のチャンネルから所定のチャンネルが選択される。チューナ部２１０は、ユーザにより選択されたチャンネルの番組を受信し、表示部２０６に出力する。チューナ部２１０は、本実施形態において放送信号処理部として機能する。
【００４０】
ドライブ部２１１は、例えば光学記録媒体、フロッピー（登録商標）ディスク、磁気記録テープ、フラッシュメモリ等、リムーバブルの記録媒体２１２を駆動することが可能なデバイスである。これに対し上記記憶部２０８は、主にリムーバブルでない記録媒体を駆動する、情報処理装置２００に予め搭載されたデバイスとして使用される場合が多い。
【００４１】
通信部２０９は、ＬＡＮ（Local Area Network）、ＷＡＮ（Wide Area Network）等に接続可能な、他のデバイスと通信するためのモデム、ルータ、その他の通信機器である。通信部２０９は、有線及び無線のどちらを利用して通信するものであってもよい。通信部２０９は、情報処理装置２００とは別体で使用される場合が多い。
【００４２】
図３は、情報処理装置２００のソフトウェア構成例を示す模式的なブロック図である。図３に示す各ブロックは、図２に示すＲＯＭ１０２や記憶部１０８等に記憶されたプログラム等のソフトウェア資源と、ＣＰＵ２０１等の各ハードウェア資源とが協働することにより実現される。
【００４３】
本実施形態に係る情報処理装置２００では、放送局から配信される番組の視聴と、ネットワークサービスの利用とが、シームレスに体験可能となる。例えばユーザにより入力された検索ワードをもとに、放送番組と、インターネット１０上のＷｅｂサイト等とが、シームレスに検索される。また、放送番組の視聴をしながら、当該番組についての情報や関連するコンテンツ等をインターネット１０から取得することができる。
【００４４】
その他、本実施形態に係る情報処理装置２００では、後述するような操作性の高いネットワークサービスの利用が可能となる。そのために情報処理装置２００は、図３に示すように、サービス部２２０と、フレームワーク２３０とを有する。
【００４５】
サービス部２２０は、Ｗｅｂブラウザ２２１と、ＨＴＴＰサーバ２２２と、複数のプラグイン２２３とを有する。フレームワーク２３０は、選局モジュール２３１と、チャンネル検出モジュール２３２と、音楽（ＢＧＭ）解析モジュール２３３とを含む、複数のソフトウェアモジュール２３４を有する。
【００４６】
Ｗｅｂブラウザ２２１は、プロトコルスタックと、ＨＴＭＬエンジンと、描画処理部と、スクリプト言語処理エンジンとを有する（いずれも図示なし）。プロトコルスタックは、インターネット１０を介した通信のために用いられる。ＨＴＭＬエンジンは、ＨＴＭＬ文書でなるＷｅｂページを解釈する。描画処理部は、Ｗｅｂページを解釈して表示画像を生成し表示部２０６に出力する。スクリプト言語処理エンジンは、Ｗｅｂページ内のスクリプト言語を処理する。本実施形態において、Ｗｅｂブラウザ２２１は生成部として機能する。
【００４７】
このＷｅｂブラウザ２２１により、インターネット１０上のサーバ３００に、ＵＲＬをもとにＨＴＴＰリクエストが送信される。そしてＷｅｂブラウザ２２１は、サーバ３００からのＨＴＴＰレスポンスを受信して所定の処理を実行する。
【００４８】
またＷｅｂブラウザ２２１は、ＨＴＴＰサーバ２２２にアクセスするためのアクセス情報としてのＵＲＬ（第１のアクセス情報）をもとに、当該ＨＴＴＰサーバ２２２に所定の情報処理（第１の情報処理）の実行を要求する。
【００４９】
すなわちＷｅｂブラウザ２２１により、ＨＴＴＰサーバ２２２に、ＵＲＬをもとにＨＴＴＰリクエストが送信される。Ｗｅｂブラウザ２２１は、本実施形態において、第１及び第２の要求部として機能する。
【００５０】
ＨＴＴＰサーバ２２２へのアクセス情報として用いられるＵＲＬとしては、例えば「ｌｏｃａｌｈｏｓｔ」や「ローカル・ループバック・アドレス（127.0.0.1）」等を含む、以下のようなものが用いられる。  
ｈｔｔｐ：／／１２７．０．０．１：｛ポート番号｝／｛ＡＰＩ名｝・・・・
ｈｔｔｐ：／／ｌｏｃａｌｈｏｓｔ：｛ポート番号｝／｛ＡＰＩ名｝・・・・
【００５１】
ＨＴＴＰサーバ２２２は、上記したようなＵＲＬをもとにしたリクエストを受信し、当該ＵＲＬを解釈して、要求された第１の情報処理を実行する。そしてその処理結果をレスポンスとしてＷｅｂブラウザ２２１に送信する。ＨＴＴＰサーバ２２２は、本実施形態において、実行部として機能する。
【００５２】
ここでＨＴＴＰサーバ２２２による第１の情報処理の実行動作について説明する。図３に示すように本実施形態では、複数のプラグイン２２３が設定されている。このプラグイン２２３は、ＡＰＩ（Application Program Interface）として用いられる。
【００５３】
ＨＴＴＰサーバ２２２は、ＵＲＬに含まれる｛ＡＰＩ名｝をもとに所定のプラグインに処理を委譲する。そうするとプラグイン２２３から、フレームワーク２３０内の所定のソフトウェアモジュール２３４に操作が要求される。要求を受けたソフトウェアモジュール２３４は、所定のソフトウェア又はデバイスを操作する。このようにしてＨＴＴＰサーバ２２２による第１の情報処理の実行が行われることになる。
【００５４】
なお、第１の情報処理の実行動作が上記したものに限定されるわけではない。
【００５５】
［情報処理装置の動作］
本実施形態に係る情報処理装置２００の動作について説明する。図４は、本実施形態においてＷｅｂブラウザ２２１により生成される表示画像の一例を示す模式的な図である。
【００５６】
本実施形態では、ユーザにより入力部２０７としてのリモートコントローラを介して、本技術に係るアプリケーション実行の指示が入力される。そうすると、例えば図３に示すようにインターネット１０上の所定のサーバ３０５から、情報処理装置２００に、本技術に係るアプリケーション実行のためのプログラム３５０がダウンロードされる。
【００５７】
情報処理装置２００のＷｅｂブラウザ２２１は、ダウンロードされたプログラム３５０をもとに、図４に示す表示画像５０の生成処理を含む、以下の処理を実行する。なお、アプリケーション実行のためのプログラム３５０が記憶部２０８等に予め格納されていてもよい。
【００５８】
図４に示すように表示画像５０は、ユーザにより選択されたチャンネルの番組Ａを表示する表示領域５１を有する。また表示画像５０には、番組Ａに関連する種々の情報が表示される。
【００５９】
本実施形態では、表示画像５０の下側に、番組Ａのタイトル５２、番組Ａのサムネイル画像５３、番組Ａの出演者の名前５４、番組Ａに関連する作品のサムネイル画像５５、当該作品のタイトル５６が表示される。また表示画像５０に、番組Ａで流れている音楽（ＢＧＭ）のタイトル５７、当該音楽のサムネイル画像５８、番組Ａに関連するコメント５９が表示される。
【００６０】
また表示画像５０の右側には、他の番組のリスト６０が表示される。すなわち他のチャンネルの番組Ｂ〜Ｈのタイトル６１と、当該番組Ｂ〜Ｈのサムネイル画像６２、及び番組Ｂ〜Ｈについてのコメント６３がそれぞれ表示される。なお番組のサムネイル画像としては、例えば当該番組の１つのシーンの画像が用いられる。あるいは、番組や当該番組を放送する放送局のロゴ等が用いられる。
【００６１】
本実施形態では、上記の情報のうち、他のチャンネルの番組のサムネイル画像６２に、ＨＴＴＰサーバ２２２にアクセスするためのＵＲＬがリンクされている。すなわちサムネイル画像６２に当該ＵＲＬへのハイパーリンクが設定されている。従って本実施形態において他のチャンネルの番組のサムネイル画像６２は、ＨＴＴＰサーバ２２２にアクセスするための第１のアクセス情報に関連付けられた第１の情報に相当する。
【００６２】
表示画像５０内のその他の情報には、インターネット１０上のサーバ３００にアクセスするためのＵＲＬへのハイパーリンクが設定されている。すなわちこれらの情報は、本実施形態において、インターネット１０上のサーバ３００にアクセスするための第２のアクセス情報に関連付けられた第２の情報に相当する。
【００６３】
本実施形態では、ユーザにより他のチャンネルの番組の画像６２が選択されると、選択されたチャンネルへの切替処理がＨＴＴＰサーバ２２２により実行される。当該チャンネル切替処理は、第１の情報処理として実行される。この結果、表示画像５０の表示領域５１に表示される番組が変更される。
【００６４】
図５は、そのチャンネル切替処理の流れを示す模式的なシーケンス図である。
【００６５】
ユーザ７０により視聴を望むチャンネルの番組の画像６２がクリックされる。例えば表示画像５０上に図示しないポインタ等が存在し、当該ポインタ等が用いられることで画像６２がクリックされる。あるいは、画像６２が選択対象としてフォーカス表示され、その状態でボタン等が押されることで画像６２がクリックされてもよい。これにより画像６２にリンクされている選局要求を行うためのハイパーリンクがクリックされる（ステップ１０１）。
【００６６】
Ｗｅｂブラウザ２２１により、他の番組の画像６２にハイパーリンクされたＵＲＬをもとに、ＨＴＴＰリクエストがＨＴＴＰサーバ２２２に出力される（ステップ１０２）。リクエストを受けたＨＴＴＰサーバ２２２は、ＵＲＬを解釈して（ステップ１０３）、所定のプラグイン２２３に処理を委譲する。そしてプラグイン２２３から、フレームワーク２３０内の選局モジュール２３１に選局操作が要求される（ステップ１０４）。
【００６７】
選局操作の要求を受け付けた選局モジュール２３１は、選局処理を実行するソフトウェア、または選局処理を実行するデバイス２３５を操作して選局処理を実行させる（ステップ１０５）。これによりユーザが視聴したい番組へのチャンネル切替処理（選局処理）が実行される（ステップ１０６）。
【００６８】
なお図５に示す「ｔｕｎｅｒ」が、選局処理を実行するソフトウェアに相当する。そして「ＳｅｔＴｏｐＢｏｘ」が、選局処理を実行するデバイスに相当する。このようにソフトウェアにより選局処理が実行されてもよいし、デバイスによって選局処理が実行されてもよい。
【００６９】
「ｔｕｎｅｒ」又は「ＳｅｔＴｏｐＢｏｘ」からは、選局処理の結果が、選局モジュール２３１に返される（ステップ１０７）。すなわち選局の成功（success）又は失敗（error）を示す情報が選局モジュール２３１に返される。
【００７０】
選局結果は、選局モジュール２３１からＨＴＴＰサーバ２２２にも送信され、（ステップ１０８）、それをもとにＨＴＴＰサーバ２２２からＷｅｂブラウザ２２１にＨＴＴＰレスポンスが出力される（ステップ１０９）。
【００７１】
ＨＴＴＰレスポンスを受けたＷｅｂブラウザ２２１は、選局結果をもとに所定の情報処理を実行する（ステップ１１０）。例えば選局処理成功のレスポンスを受けた場合、切り替えられたチャンネルの番組を表示領域５１に表示させる。選局処理失敗のレスポンスを受けた場合、例えばチャンネル切替処理のエラーを示す表示等を表示部２０６に出力する。
【００７２】
なお、ＨＴＴＰサーバ２２２により実行される第１の情報処理としては、チャンネル切替処理に限定されない。例えば図３に示すフレームワーク２３０に含まれるチャンネル検出モジュール２３２が利用されることで、現在表示領域５１に表示されている番組のチャンネルが検出されてもよい。
【００７３】
例えば上記したチャンネル切替処理が成功した場合、Ｗｅｂブラウザ２２１からＨＴＴＰサーバ２２２に、変更された番組のチャンネルの検出処理がリクエストされる。そうするとチャンネル検出モジュール２３２により所定のソフトウェア又はデバイスが操作され、視聴中のチャンネルの検出処理が実行される。検出処理が成功した場合は、検出されたチャンネルの情報がＷｅｂブラウザ２２１に返される。
【００７４】
そしてＷｅｂブラウザ２２１により、当該チャンネルの情報が図３に示すサーバ３０５等に送信される。この際Ｗｅｂブラウザ２２１からサーバ３０５にリクエストも送信される。すなわち、当該チャンネルで現在放送されている番組の情報や当該番組のサムネイル画像、及び番組に関連する種々の情報を取得するためのリクエストが送信される。
【００７５】
サーバ３０５は、番組情報や関連情報等の取得リクエストをもとに、図４に示す表示画像５０が生成されるために必要な種々の情報をＷｅｂブラウザ２２１に返す。これにより、表示領域５１に新たに表示された番組をもとにした表示画像５０がＷｅｂブラウザ２２１により生成される。すなわち当該新たに表示された番組に関連する情報が表示された表示画像５０が生成される。
【００７６】
このチャンネル検出処理は、本技術に係るアプリケーションが実行されて最初に表示画像５０が生成されるときにも実行される。この場合、ユーザ７０によりアプリケーションの実行の指示があったときに、Ｗｅｂブラウザ２２１からＨＴＴＰサーバ２２２にチャンネル検出のリクエストが送信される。
【００７７】
ＨＴＴＰサーバ２２２からはＷｅｂブラウザ２２１に、検出されたチャンネル情報が返される。Ｗｅｂブラウザ２２１は、チャンネル情報を、種々のリクエストとともにインターネット１０上のサーバ３０５に送信する。
【００７８】
サーバ３０５からはアプリケーションプログラム３５０や表示画像５０生成のための画像等の情報がＷｅｂブラウザ２２１に返される。またＷｅｂブラウザ２２１が表示画像５０を生成するために必要な情報を格納する他のサーバ３００のＵＲＬ等が返されてもよい。これらをもとにＷｅｂブラウザ２２１により表示画像５０が生成される。
【００７９】
このように表示画像５０にハイパーリンクされたＵＲＬが選択される場合に限られず、Ｗｅｂブラウザ２２１からＨＴＴＰサーバ２２２にリクエストが送信されてもよい。
【００８０】
また例えば、フレームワーク２３０に含まれるＢＧＭ解析モジュール２３３が利用されることで、表示領域５１に表示されている番組で流れている音楽の解析処理が実行されてもよい。
【００８１】
本実施形態では、ＢＧＭ解析モジュール２３３により、流れている音楽に対応する文字列が解析結果として生成される。その解析結果がＷｅｂブラウザ２２１に返される。
【００８２】
Ｗｅｂブラウザ２２１は、受け取った解析結果をインターネット１０上の所定のサーバ３００にリクエストとともに送信する。そうするとサーバ３００は、解析結果の文字列に対応するＢＧＭの情報を取得して当該情報をＷｅｂブラウザ２２１に返す。
【００８３】
このようにしてＢＧＭの情報が取得され、これをもとに表示領域５１に表示されている番組で流れている音楽のタイトル５７や当該音楽のサムネイル画像５８が表示画像５０に表示される。なお音楽のサムネイル画像５８等を取得するために、改めてサーバ３０５等にリクエストが送信されてもよい。
【００８４】
このように、ＨＴＴＰサーバ２２２により実行される第１の情報処理としてどのような情報処理が実行されてもよい。例えば記憶部２０８等に記憶された所定のアプリケーションの起動処理が第１の情報処理として実行されてもよい。
【００８５】
本実施形態では、例えばＪａｖａ（登録商標）Ｓｃｒｉｐｔ等により、図３に示すプラグイン２２３が適宜生成される。そして当該プラグイン２２３を介してフレームワーク２３０内のソフトウェアモジュール２３４が適宜利用される。これにより第１の情報処理として実行される情報処理を適宜設定することが可能となる。
【００８６】
図６は、本実施形態に係る第１の情報処理の流れを示す模式的なシーケンス図である。ユーザ７０により、情報処理装置２００の内部への操作要求を行うハイパーリンクがクリックされる（ステップ２０１）。例えばＨＴＴＰサーバ２２２へのアクセス情報としてのＵＲＬがハイパーリンクされた画像や文字等が選択される。あるいは表示画像５０上にＵＲＬがそのまま記載されており、当該ＵＲＬがクリックされてもよい。
【００８７】
Ｗｅｂブラウザ２２１により、ＵＲＬをもとに、ＨＴＴＰリクエストがＨＴＴＰサーバ２２２に出力される（ステップ２０２）。リクエストを受けたＨＴＴＰサーバ２２２は、ＵＲＬを解釈して（ステップ２０３）、所定のプラグイン２２３に処理を委譲する。そしてプラグイン２２３から、フレームワーク２３０内の所定のソフトウェアモジュール２３４に操作が要求される（ステップ２０４）。
【００８８】
操作要求を受け付けたソフトウェアモジュール２３４は、処理を実行するソフトウェア、または処理を実行するデバイス２３５を操作して処理を実行させる（ステップ２０５、ステップ２０６）。
【００８９】
操作対象のソフトウェア又はデバイス２３５からは、処理結果が、ソフトウェアモジュール２３４に返される（ステップ２０７）。処理結果は、例えば処理の成功（success）又は失敗（error）を示す情報である。あるいはＨＴＴＰサーバ２２２にリクエストされた第１の情報処理が所定の情報の取得である場合、当該取得された情報等が処理結果として返される。
【００９０】
処理結果は、ソフトウェアモジュール２３４からＨＴＴＰサーバ２２２にも送信され、（ステップ２０８）、それをもとにＨＴＴＰサーバ２２２からＷｅｂブラウザ２２１にＨＴＴＰレスポンスが出力される（ステップ２０９）。
【００９１】
ＨＴＴＰレスポンスを受けたＷｅｂブラウザ２２１は、処理結果としての戻り値（成功や失敗を示す情報や取得された情報等）をもとに所定の情報処理を実行する（ステップ２１０）。
【００９２】
なお、ＨＴＴＰサーバ２２２による第１の情報処理の実行のためのソフトウェア構成やシーケンス等は、図３や図６等に示すものに限定されない。例えばプラグイン２２３等が用いられなくてもよい。第１の情報処理の実行のために任意のソフトウェア又はハードウェア等が適宜用いられてよい。
【００９３】
図７は、インターネット１０上のサーバ３００による第２の情報処理の流れを示す模式的なシーケンス図である。ここでは、ユーザ７０が、所定のＷｅｂサイトのトップページを表示させたい場合を例として説明する。
【００９４】
ユーザ７０により、インターネット１０上のサーバ３００への操作要求を行うハイパーリンクがクリックされる（ステップ３０１）。例えば図４に示す番組Ａのタイトル５２等がクリックされる。なおハイパーリンクされるＵＲＬは、ＷｅｂサイトのトップページのＵＲＬである。
【００９５】
Ｗｅｂブラウザ２２１により、当該ＵＲＬをもとに、インターネット１０上のＨＴＴＰサーバ３２０にＨＴＴＰリクエストが送信される（ステップ３０２）。リクエストを受けたＨＴＴＰサーバ３２０は、ＵＲＬを解釈して（ステップ３０３）、バックエンドのサーバ３２５に操作が要求される（ステップ３０４）。
【００９６】
なお、ＨＴＴＰサーバ３２０及びバックエンドサーバ３２５は、図１等に示すインターネット１０上のサーバ３００に含まれるものである。例えば１つの端末により、ＨＴＴＰサーバ３２０及びバックエンドサーバ３２５が実現されてもよい。あるいはインターネット１０やＬＡＮ等のネットワークを通じて接続された複数の機器により、ＨＴＴＰサーバ３２０及びバックエンドサーバ３２５がそれぞれ別個に実現されてもよい。この場合、当該複数の機器がサーバ３００として機能する。
【００９７】
操作要求を受け付けたバックエンドサーバ３２５は、第２の情報処理を実行する（ステップ３０５）。これによりＷｅｂページのトップページを示すＨＴＭＬ文章等を含むファイルが取得される。
【００９８】
バックエンドサーバ３２５から、処理結果が、インターネット１０上のＨＴＴＰサーバ３２０に返される（ステップ３０６）。処理結果は、例えば取得されたファイル、もしくはファイル取得の失敗（error）を示す情報等である。
【００９９】
処理結果は、ＨＴＴＰサーバ３２０から、情報処理装置２００が有するＷｅｂブラウザ２２１にＨＴＴＰレスポンスとして送信される（ステップ３０７）。ＨＴＴＰレスポンスを受けたＷｅｂブラウザ２２１は、処理結果としての戻り値をもとに所定の情報処理を実行する（ステップ３０８）。ここでは、Ｗｅｂサイトのトップページの表示等が実行される。
【０１００】
なおインターネット１０上のサーバ３００により実行される第２の情報処理は全く限定されない。情報処理装置２００に種々のネットワークサービスを提供するための種々の情報処理が第２の情報処理として適宜実行されてよい。
【０１０１】
ここで、図４に示す表示画像５０に表示された第２の情報が選択されたときの、情報処理装置２００の動作例を示す。
【０１０２】
図８は、表示画像５０内の番組Ａのタイトル５２、及び番組Ａのサムネイル画像５３が選択されたときの表示画像５０を示す模式的な図である。本実施形態では、番組Ａのタイトル５２及び番組Ａのサムネイル画像５３に、番組ＡのＷｅｂサイトのトップページ８０のＵＲＬがリンクされている。あるいは、番組Ａを放送する放送局のＷｅｂサイト内の番組Ａに関するページのＵＲＬがリンクされていてもよい。
【０１０３】
図８に示すように、番組Ａのタイトル５２等がクリックされると、表示画像５０の右側の領域８１に、番組ＡのＷｅｂサイトのトップページ８０が表示される。これによりユーザは、番組Ａの情報をさらに詳しく調べることができ、番組Ａの視聴を十分に楽しむことができる。
【０１０４】
例えばユーザのコンテンツに対する理解や感情移入が深まることが期待される。また番組作成者とユーザとの間で知識範囲や興味領域の差があるために、ユーザが理解できないような表現が番組内で行われることがある。そのような場合でも、例えば番組のＷｅｂサイト等から十分な知識を取得することができ、番組作成者の意図等を十分に把握しながら番組を視聴することが可能となる。
【０１０５】
図９は、表示画像５０内の番組Ａの出演者の名前５４が選択されたときの表示画像５０を示す模式的な図である。
【０１０６】
本実施形態では、例えば出演者の名前５４には、キーワードに基づいて検索処理を実行することが可能な検索エンジンを有するサーバ３００へのＵＲＬがリンクされている。さらに出演者Ａをキーワードとして検索された結果のページのＵＲＬがリンクされる。このＵＲＬは、例えば出演者Ａがクリックされたときに生成される。他の出演者Ｂ、Ｃについても同様に、当該出演者Ｂ、Ｃについての検索結果のページのＵＲＬがリンクされる。
【０１０７】
図９に示すように、出演者Ａ等がクリックされると、表示画像５０の右側の領域８１に、出演者Ａをキーワードとした検索結果を示すＷｅｂページ８２が表示される。これによりユーザは、例えば出演者Ａのプロフィールや他の出演作等の情報等を取得することが可能となる。すなわち出演者Ａの情報をさらに詳しく調べることができ、番組Ａの視聴を十分に楽しむことができる。
【０１０８】
図１０は、表示画像５０内の番組Ａに関連する作品のサムネイル画像５５、当該作品のタイトル５６、及び番組Ａで流れている音楽（ＢＧＭ）のタイトル５７、当該音楽のサムネイル画像５８が選択されたときの表示画像５０を示す模式的な図である。
【０１０９】
本実施形態では、上記の画像等には、映像や音楽等のコンテンツをオンライン購入することが可能なＷｅｂサイトのＵＲＬがリンクされている。このようなＷｅｂサイトでは、ユーザによりコンテンツが指定され所定の購入操作が実行される。購入されたコンテンツは、例えばストリーミング形式やダウンロード形式等により情報処理装置２００に提供される。あるいはコンテンツが記録されたＢＤやＤＶＤ等がオンライン購入されてもよい。
【０１１０】
図１０に示すように、番組Ａに関連する作品のサムネイル画像５５等がクリックされると、表示画像５０の右側の領域８１に、コンテンツを購入可能なＷｅｂサイトのＷｅｂページ８３が表示される。このＷｅｂページ８３は、番組Ａに関連した作品や番組Ａに流れているＢＧＭを購入するためのページである。
【０１１１】
図１０に示すように、Ｗｅｂページ８３には、他の関連商品についての情報８４も表示されている。これによりユーザは、番組Ａに関連するコンテンツを購入することが可能となり、番組Ａの視聴を十分に楽しむことができる。
【０１１２】
なお表示画像５０内の、関連作品のタイトル５６及びＢＧＭのタイトル５７の下に、サイトＡと記載されたボタン６４がある。このサイトＡとは、上記したオンライン購入可能なＷｅｂサイトのことである。このボタン６４が押されると、Ｗｅｂサイトのトップページが表示される。例えばユーザが番組Ａに関連しないコンテンツを購入したいとき等には、当該ボタン６４をクリックすることでトップページにジャンプ可能である。これによりユーザの操作性が向上する。
【０１１３】
またＢＧＭのタイトル５７の下には、更新ボタン６５が設けられている。例えば番組で流れている音楽が変わったとき等に、ユーザはこの更新ボタン６５をクリックする。そうすると、ＢＧＭについての情報が更新される。すなわち更新ボタン６５がクリックされると、Ｗｅｂブラウザ２２１から内部のＨＴＴＰサーバ２２２にＢＧＭ解析のリクエストが送信される。従って更新ボタン６５は第１の情報に相当し、これにはＨＴＴＰサーバ２２２へのＵＲＬがリンクされている。
【０１１４】
図１１は、表示画像５０内の番組Ａに関連するコメント５９が選択されたときの表示画像５０を示す模式的な図である。
【０１１５】
まずコメント５９について説明する。インターネット１０上のサーバ３００が提供するネットワークサービスとして、ユーザが投稿したコメントを時系列に沿って表示するというサービスがある。投稿されたコメントはタイムラインと呼ばれる領域に表示される。
【０１１６】
本実施形態では、サーバ３００によりＷｅｂサイトＣが公開され、当該ＷｅｂサイトＣを介してユーザが上記サービスを利用できるものとする。
【０１１７】
このサービスは、いわゆるコミュニケーションサービスと呼ばれるものである。例えばユーザは、他のユーザが投稿したコメントを自分のタイムラインに表示させることが可能である。そして他のユーザのコメントについて自分のコメントを投稿したり、それについての返信を閲覧したりすることが可能である。
【０１１８】
図４や図１１等には、コメント５９としてコメントＡ１及びＡ２が表示されている。コメントＡ１及びＡ２は、上記したネットワークサービスを利用するユーザにより投稿された番組Ａに関連するコメントである。
【０１１９】
これらのコメントＡ１及びＡ２は、番組Ａに関連するコメントとして適宜検索されて表示される。例えばコメント中に番組Ａに関連するキーワード等が含まれている場合、当該キーワードをもとにコメントが検索される。そして表示画像５０にリアルタイムで表示される。コメントＡ１及びＡ２は、左右にスクロールして表示され、新しく投稿されたコメントが順次リアルタイムで表示される。
【０１２０】
本実施形態ではＷｅｂブラウザ２２１が、図３に示すサーバ３０５に、番組Ａに関連するコメント５９を表示するための情報の取得をリクエストする。コメント５９を表示するための情報とは、例えばＷｅｂサイトＣ内の、番組Ａに関連したコメント５９が表示されるＷｅｂページのＵＲＬである。
【０１２１】
サーバ３０５から当該ＵＲＬが返されると、Ｗｅｂブラウザ２２１は、受け取ったＵＲＬをもとに、ＷｅｂサイトＣを提供するサーバ３００にコメント５９の取得をリクエストする。
【０１２２】
あるいはコメント５９を表示するための情報として、ＷｅｂサイトＣ内の検索ページのＵＲＬがリクエストされてもよい。そして当該ＵＲＬを受け取ったＷｅｂブラウザ２２１により、当該ＵＲＬをもとに、番組Ａに関連するコメント５９の検索処理とその結果の取得がリクエストされてもよい。
【０１２３】
本実施形態では、番組Ａに関連するコメント５９に、ＷｅｂサイトＣ内のＷｅｂページ８５のＵＲＬがリンクされている。Ｗｅｂページ８５は、ＷｅｂサイトＣ内において検索された番組Ａに関連するコメント５９の一覧が表示されたページである。
【０１２４】
図１１に示すように、番組Ａに関連するコメント５９がクリックされると、表示画像５０の右側の領域８１に、Ｗｅｂページ８５が表示される。表示されるコメント５９はリアルタイムで更新される。
【０１２５】
図１１に示すように、コメント５９内にＵＲＬ６６が含まれる場合もある。当該ＵＲＬ６６がクリックされることで、例えば所定のＷｅｂサイトのトップページ等にジャンプ可能となる。
【０１２６】
図１１のサイトＣと記載されたボタン６７がクリックされると、ＷｅｂサイトＣのトップページが領域８１に表示される。あるいはユーザのタイムラインが表示されてもよい。
【０１２７】
また図１１に示すようにコメントＡ１やＡ２には、例えば顔やキャラクタ等のサムネイル画像６８が表示されている。このサムネイル画像６８は、コメントを投稿するユーザがそれぞれ自由に設定することが可能なアイコンである。従って図４や図１１等ではサムネイル画像６８として同じ画像が図示されているが、実際はユーザごとに異なる画像が用いられる。
【０１２８】
このアイコンは、各ユーザのタイムラインにハイパーリンクされている。従って当該アイコンがクリックされると、そのユーザのタイムラインが表示画像５０の右側の領域８１に表示される。
【０１２９】
表示領域５１に表示された番組Ａを見ながらこのようなサービスを利用することが可能なので、例えば番組Ａに対する他人の評判や番組Ａに対するマニアックな情報等を取得することが可能となり、番組Ａの視聴を十分に楽しむことができる。
【０１３０】
また、番組Ａを、コメントを投稿する他のユーザとともに多人数で視聴しているような感覚を得ることができので、臨場感や興奮度を増加させることが可能となる。また他のユーザのコメントを閲覧することで、現在盛り上がっているコンテンツ等を把握することが可能となる。
【０１３１】
図４に示す放送中の他の番組のリスト６０について説明する。上記したように他の番組のサムネイル画像６２がクリックされると、内部のＨＴＴＰサーバ２２２によりチャンネル切替処理が実行される。
【０１３２】
他のチャンネルの番組Ｂ〜Ｈのタイトル６１、及び他の番組他の番組Ｂ〜Ｈについてのコメント６３がクリックされると、当該クリックされた番組に関連するコメント６３の一覧が表示される。すなわち図１１に示すＷｅｂページ８５と略同様の、コメント６３の一覧を示すＷｅｂページが表示される。これにより、例えば他の番組Ｂ〜Ｈについての評判や情報等を閲覧することが可能となる。
【０１３３】
また各番組Ｂ〜Ｈにおいて、コメント６３の右側にあるボタン６９（図４参照）がクリックされると、ＷｅｂサイトＣのトップページ、もしくは自分のタイムライン画面が表示される。
【０１３４】
図８〜図１１を参照して説明したネットワークサービス、及び当該サービスに基づく表示画像５０のＵＩ（User Interface）変化等は一例にすぎず、全く限定されない。図８〜図１１では、表示画像５０の右側の領域８１にトップページ等が表示された。しかしながら、ハイパーリンクがクリックされるたびに、表示画像５０からトップページ等に画面が遷移されてもよい。また番組が表示される表示領域５１の位置や大きさ等を含む、表示画像５０の構成も全く限定されない。ハイパーリンクされるＵＲＬを適宜選択することで、所望のネットワークサービスを利用することが可能となる。
【０１３５】
以上、本実施形態に係る情報処理装置２００では、第１のアクセス情報であるＵＲＬに関連付けられた第１の情報と、第２のアクセス情報であるＵＲＬに関連付けられた第２の情報とを有する表示画像５０が生成される。第１のアクセス情報としてのＵＲＬは情報処理装置２００が具備するＨＴＴＰサーバ２２２にアクセスするための情報であり、これにもとにＨＴＴＰサーバ２２２に第１の情報処理の実行が要求される。第２のアクセス情報としてのＵＲＬはグローバルネットワークであるインターネット１０上のサーバ３００にアクセスするための情報であり、これにもとにサーバ３００に第２の情報処理の実行が要求される。
【０１３６】
これにより、第２のアクセス情報としてのＵＲＬを適宜設定することで、インターネット１０上のサーバ３００から種々のネットワークサービスを受けることが可能である。また第１のアクセス情報としてのＵＲＬへのハイパーリンクを用いて、自己が具備する実行部としてのＨＴＴＰサーバ２２２に第１の情報処理の実行を要求することが可能となる。
【０１３７】
この結果、インターネット１０上のサーバ３００への処理要求と、内部のＨＴＴＰサーバ２２２への処理要求が、ともにＨＴＴＰを用いて実現することが可能となる。これにより、インターネット１０上のサーバ３００へのハイパーリンクと、内部のＨＴＴＰサーバ２２２へのハイパーリンクとがともに存在する表示画像５０を、ＨＴＭＬで記述された１つのＷｅｂページとして生成することが可能となる。
【０１３８】
このように生成された表示画像５０を操作することで、ユーザは、チャンネル切替や音楽解析等の操作を行いながら、種々のネットワークサービスを利用することが可能となる。この結果、情報処理装置２００を使用するユーザの操作性を向上させることができる。またユーザに提供可能な体験（ユーザビリティ）の幅を広げることが可能となる。
【０１３９】
また表示画像５０において、インターネット１０上のＷｅｂサイト等へのアクセスのためのＵＩ（第２の情報）と、情報処理装置２００自身の操作を行うためのＵＩ（第１の情報）がシームレスに存在する。これによりアプリケーションの操作性や分りやすさが向上する。従って、ユーザの操作性を向上させることができる。
【０１４０】
また本実施形態では、図３に示すサーバ３０５に、表示画像５０の生成処理を含むアプリケーション実行のためのプログラム３５０が格納されている。そしてそのプログラム３５０が情報処理装置２００にダウンロードされることで、上記で説明した動作が実行される。従って、サーバ３０５側でプログラム３５０の変更やバージョンアップ等を適宜実行することが可能である。この結果、情報処理装置２００を利用するユーザの操作性を向上させることができる。
【０１４１】
なおＨＴＴＰやＨＴＭＬ等は広く知られている技術であり、このような技術を適宜利用することで、上記で説明した技術の汎用性を高めることが可能である。例えば上記で説明したサービスを実行しようとする機器の仕様等に応じて、アプリケーションプログラム３５０を適宜作成することが容易である。
【０１４２】
＜第２の実施形態＞
本技術に係る第２の実施形態としての情報処理装置及び情報処理システムについて説明する。これ以降の説明では、上記の実施形態で説明したネットワークシステム１００や情報処理装置２００における構成及び作用と同様な部分については、その説明を省略又は簡略化する。
【０１４３】
図１２は、本実施形態に係る情報処理装置及び情報処理システムを含むネットワークシステムを示す模式的な図である。
【０１４４】
ネットワークシステム４００は、グローバルネットワークとしてのインターネット１０と、インターネット１０に接続された複数のサーバ３００とを有する。当該複数のサーバ３００は、ネットワークサービスを提供することが可能である。
【０１４５】
また図１２に示すように、ネットワークシステム４００は、ローカルネットワーク４１０を通じて接続された携帯端末４０１と情報処理端末４０２とを有する。携帯端末４０１及び情報処理端末４０２は、ローカルネットワーク４１０を介してインターネット１０に接続される。
【０１４６】
携帯端末４０１は、本実施形態において、第２の情報処理端末として機能する。また本実施形態において情報処理装置に相当する。情報処理端末４０２は、本実施形態において第１の情報処理端末として機能する。また携帯端末４０１及び情報処理端末４０２により、本実施形態に係る情報処理システム４９０が実現する。
【０１４７】
図３に示すように上記の第１の実施形態では、情報処理装置２００が、Ｗｅｂブラウザ２２１とＨＴＴＰサーバ２２２とを有していた。そしてＨＴＴＰサーバ２２２へのＵＲＬをもとに、Ｗｅｂブラウザ２２１からＨＴＴＰサーバ２２２にリクエストが送信された。
【０１４８】
本実施形態では、図１２に示すように、Ｗｅｂブラウザ４２１を有する携帯端末４０１と、ＨＴＴＰサーバ４２２を有する情報処理端末４０２により、情報処理システム４９０が実現される。
【０１４９】
Ｗｅｂブラウザ４２１は、第１の情報処理を実行可能な情報処理端末４０２にアクセスするためのＵＲＬ（第１のアクセス情報）に関連付けられた第１の情報と、第２の情報処理を実行することが可能なインターネット１０上のサーバ３００にアクセスするためのＵＲＬ（第２のアクセス情報）に関連付けられた第２の情報とを有する表示画像を生成する。
【０１５０】
またＷｅｂブラウザ４２１は、第１の情報に関連付けられたＵＲＬをもとに、情報処理端末４０２に第１の情報処理の実行を要求する。具体的には、情報処理端末４０２が有するＨＴＴＰサーバ４２２に第１の情報処理の実行を要求する。またＷｅｂブラウザ４２１は、第２の情報に関連付けられたＵＲＬをもとに、サーバ３００に第２の情報処理の実行を要求する。
【０１５１】
Ｗｅｂブラウザ４２１は、本実施形態において、生成部、第１の要求部、及び第２の要求部として機能する。
【０１５２】
第１及び第２の情報処理としては、例えば第１の実施形態で説明したものが挙げられる。また第１及び第２の情報も、第１の実施形態で説明したものが挙げられる。すなわち本実施形態では、Ｗｅｂブラウザ４２１とＨＴＴＰサーバ４２２とが１つの機器に設けられずに、ローカルネットワーク４１０を通じて接続された２つの機器４０１及び４０２に別個に設けられる。
【０１５３】
このような情報処理システム４９０の動作の一例を説明する。図１３は、その説明のための図であり、携帯端末４０１を示す模式的な図である。
【０１５４】
携帯端末４０１を使用するユーザにより、本技術に係るアプリケーションの実行が指示される。そうすると、インターネット１０上の所定のサーバから携帯端末４０１にアプリケーションプログラムがダウンロードされる。
【０１５５】
携帯端末４０１のＷｅｂブラウザ４２１は、プログラムをもとに表示画像４５０を、携帯端末４０１のディスプレイ４０３に表示させる。なお、表示画像４５０が生成される際に、Ｗｅｂブラウザ４２１から情報処理端末４０２のＨＴＴＰサーバ４２２に所定のリクエストが送信されてもよい。
【０１５６】
図１３には、表示画像４５０の一例が模式的に図示されている。ここでは、ディスプレイ４０３に他の番組のリスト４６０が表示されている。当該リスト４６０は、他の番組のサムネイル画像４６２と、各番組についての情報４６３（タイトル等）とを有している。
【０１５７】
このリスト４６０は、表示画像４５０の図示しない表示領域において番組を視聴しているユーザが、表示画像４５０をスクロールすることで表示される。スクロール操作は、例えばディスプレイ４０３へのタッチ操作により行われる。あるいは、所定のボタン等が押されることでリスト４６０が表示されてもよい。
【０１５８】
本実施形態では、各番組の情報４６３に、当該番組のＷｅｂサイトのＵＲＬがリンクされている。このＷｅｂサイトは、インターネット１０上の所定のサーバ３００が提供するものである。従って各番組の情報４６３は、第２の情報に相当する。当該情報４６３がクリックされると、携帯端末４０１のディスプレイ４０３に、番組のＷｅｂサイトが表示される。
【０１５９】
各番組のサムネイル画像４６２には、情報処理端末４０２のＨＴＴＰサーバ４２２にアクセスするためのＵＲＬがリンクされている。このＵＲＬは、例えば情報処理端末４０２のＩＰアドレス等を含む。また本実施形態では、上記ＵＲＬにチャンネル切替処理のために用いられるＡＰＩの名称等が含まれる。
【０１６０】
各番組のサムネイル画像４６２がクリックされると、ハイパーリンクされているＵＲＬをもとに、情報処理端末４０２のＨＴＴＰサーバ４２２にチャンネル切替処理のリクエストが送信される。当該リクエストは、ローカルネットワーク４１０を通じて行われる。
【０１６１】
リクエストを受けたＨＴＴＰサーバ４２２は、ＵＲＬを解釈して所定のプラグインに処理を委譲する。そしてプラグインから、情報処理端末４０２が有する選局モジュールに選局操作が要求される。
【０１６２】
選局モジュールによる選局処理の結果は、ＨＴＴＰサーバ４２２に返される。そしてそれをもとに、ローカルネットワーク４１０を通じて、処理結果がＨＴＴＰサーバ４２２からＷｅｂブラウザ４２１に送信される。処理結果を受けたＷｅｂブラウザ４２１は、選局結果をもとに所定の情報処理を実行する。
【０１６３】
このように、第１の情報処理を実行する情報処理端末４０２と、表示画像４５０を生成し情報処理端末４０２及びサーバ３００に情報処理の実行を要求することが可能な携帯端末４０１とが、ローカルネットワーク４１０を介して接続されてもよい。これにより携帯端末４０１を使用するユーザの操作性を向上させることができる。
【０１６４】
なお情報処理端末４０２が第１の実施形態で説明したＷｅｂブラウザ２２１を有していてもよい。すなわち情報処理端末４０２が第１の実施形態で説明した情報処理装置２００として動作可能であってもよい。
【０１６５】
携帯端末４０１としては、例えばスマートフォン等の携帯電話端末や、タブレット端末等の種々のＰＤＡ（Personal Digital Assistant）等が用いられる。しかしながら、第２の情報処理装置として利用される機器が携帯端末に限られるわけではない。例えばＰＣ等が用いられてもよい。
【０１６６】
＜変形例＞
本技術に係る実施形態は、上記で説明した実施形態に限定されず種々変形される。
【０１６７】
例えば図１４は、図４に示す表示画像５０の変形例を示す模式的な図である。この表示画像５５０は、図４に示す表示画像５０と比べて、番組が表示される表示領域５５１の面積が大きい。表示領域５５１の下には、番組Ａに関連するコメント５５９が、第２の情報として表示されている。表示領域５５１の右側には、各番組のサムネイル画像５６２が、第１の情報として表示されている。
【０１６８】
このように表示画像の構成は適宜設定可能である。例えば第１の実施形態において、表示画像５０が表示されている状態で、ユーザからの操作が入力されない時間が所定以上継続したとする。この場合、図４に示す表示画像５０から本変形例の表示画像５５０に自動的に切り替えられてもよい。操作が入力されていない状態は、番組が視聴されている状態である可能性が高い。従って、本変形例の表示画像５５０が表示されることで、番組を十分に視聴することが可能となり、操作性が向上する。なお、所定のボタン等が押されることで、表示画像の切替が行われてもよい。
【０１６９】
上記では、表示画像がＷｅｂページとして生成された。しかしながらＷｅｂページに限定されず、ＯＳやアプリケーションの画面として表示画像が生成されてもよい。すなわちグローバルネット上のサーバへのアクセス情報と、自己の実行部（ＣＰＵ等）等へのアクセス情報とがともに存在する画像であればよい。なおアクセス情報もＵＲＬに限定されない。
【０１７０】
表示画像のハイパーリンクがクリックされると、別のページにジャンプすることが多いが、そうである必要はない。例えば表示画像上に自分のコメントを入力するウィンドウが表示されており、当該ウィンドウにコメントが入力される。そして投稿ボタンがクリックされることで投稿ボタンにリンクされているサーバにコメントが送信される。この場合、投稿されたコメントは表示されるが、画面は他のページにジャンプするということはない。
【０１７１】
ハイパーリンク先の情報が所定のサーバに静的に予め格納されている場合に限定されない。例えばリアルタイムに投稿された他のユーザのコメント等を表示するページは、ハイパーリンクがクリックされたときに生成される。その他、ハイパーリンク先のページ等がスクリプト等により動的に生成されてもよい。
【０１７２】
表示画像のＵＩがクリックされたときに、所定のプログラムが実行され、その実行結果によりハイパーリンク先が決定されてもよい。つまりＵＩをクリックするまでどのサーバに問い合わせやリクエストが行くかが未決定であってもよい。言い換えればクリックされるまではそのＵＩが第１の情報であるか第２の情報であるかが未決定であってもよい。ＵＩがクリックされて内部のＨＴＴＰサーバ等へのハイパーリンクが設定されれば、当該ＵＩは第１の情報となる。ＵＩがクリックされてインターネット上のサーバへのハイパーリンクが設定されれば、当該ＵＩは第２の情報となる。
【０１７３】
第１の実施形態における内部のＨＴＴＰサーバ２２２及び第２の実施形態における情報処理端末のＨＴＴＰサーバ４２２により実行される第１の情報処理の他の例を挙げる。
【０１７４】
例えば本技術の実施形態に係る情報処理装置として、ＢＤレコーダ等に接続されたもの、あるいはＢＤレコーダ等を備えるものが用いられてもよい。この場合、Ｗｅｂブラウザからのリクエストに応じて、現在レコーダに装着されているＢＤの情報等が検出されてもよい。すなわち第１の情報処理としてＢＤの情報の検出処理が実行されてもよい。ＢＤの情報は、Ｗｅｂブラウザからのリクエスト時に検出されてもよいし、ディスク装着時にＢＤの情報が記憶されて、その情報が読み出されてもよい。
【０１７５】
例えば本技術の実施形態として、ログアップローダとして機能する機能ブロックを有する情報処理装置が用いられてもよい。当該ログアップローダにより、視聴されるチャンネルの再生ログや、ユーザによる操作ログ等が所定のサーバにアップロードされる。このログアップローダの制御等が、第１の情報処理として、ＨＴＴＰサーバ等により実行されてもよい。例えば所定のログの消去処理等である。
【０１７６】
上記では、実行部の実施例としてＨＴＴＰサーバが挙げられた。そして生成部、第１及び第２の要求部の実施例として、Ｗｅｂブラウザが挙げられた。しかしながらこれに限定されず、他のソフトウェアやハードウェアが用いられてもよい。また、生成部、第１の要求部、及び第２の要求部が、別個に設けられてもよい。
【０１７７】
上記では、視聴されている番組の情報が取得され、それをもとに視聴されている番組に関連する情報が表示画像に表示された。しかしながら、必ずしもそれに限定されるわけではない。例えば視聴中の番組の情報が用いられず、当該番組に関連している情報が取得されない場合もある。その場合、おすすめの番組や音楽として予め設定されている情報や天気予報の情報等が表示画像に表示されてもよい。そして当該情報等に、適宜ハイパーリンクが設定されていてもよい。
【０１７８】
インターネット上のサーバが提供する動画コンテンツ配信サービスが利用され、当該配信された動画コンテンツが表示画像に表示されてもよい。例えば動画コンテンツは当該サーバにハイパーリンクされる。
【０１７９】
上記では、他のユーザが投稿したコメントが表示画像に表示された。その他、他のユーザが視聴中の番組や他のユーザのおすすめの番組等が表示画像に表示されてもよい。あるいは、他のユーザのプロフィール、嗜好情報、友人関係、推薦するコンテンツ等を反映した情報が表示画像に表示されてもよい。また、表示画像上において、他のユーザとチャット方式で通信可能であってもよい。
【０１８０】
上記では、通信プロトコルとして、ＨＴＴＰが用いられた。しかしながらこれに限られず、他のプロトコルや通信方式が採用されてよい。同様に、ハイパーリンクのプロトコルも、他のサーバ（計算機）にリクエストを行うものであればＨＴＴＰに限らず何でもよい。
【０１８１】
上記では、チューナ部により放送局から配信されてくる番組のコンテンツデータが受信され、表示画像に放送番組が表示された。しかし当然のことながら本技術の実施形態として番組が視聴される場合に限定されるわけではない。例えばＣＤ等の記録媒体に記録された音楽の再生と、当該音楽の再生に連携したネットワークサービスの利用とが操作性よく実現されてもよい。あるいは撮影したデジタル写真や絵画等の鑑賞と、当該鑑賞に連携したネットワークサービスの利用とが操作性よく実現されてもよい。
【０１８２】
なお、本技術は以下のような構成も採ることができる。
【０１８３】
（１）第１の情報処理を実行することが可能な実行部と、
前記実行部にアクセスするための第１のアクセス情報に関連付けられた第１の情報と、第２の情報処理を実行することが可能なグローバルネットワーク上のサーバにアクセスするための第２のアクセス情報に関連付けられた第２の情報とを有する表示画像を生成する生成部と、
前記第１の情報に関連付けられた前記第１のアクセス情報をもとに、前記実行部に前記第１の情報処理の実行を要求する第１の要求部と、
前記第２の情報に関連付けられた前記第２のアクセス情報をもとに、前記サーバに前記第２の情報処理の実行を要求する第２の要求部と
を具備する情報処理装置。
（２）前記（１）に記載の情報処理装置であって、
複数のチャンネルの中からユーザにより選択されたチャンネルの番組を受信し、出力する放送信号処理部をさらに具備し、
前記表示画像は、前記番組を表示する表示領域を有し、
前記第１の情報処理は、前記チャンネルの切替処理を含む
情報処理装置。
（３）前記（１）又は（２）に記載の情報処理装置であって、
前記第１の情報処理は、前記番組で流れている音楽の解析処理を含む
情報処理装置。
（４）前記（１）から（３）のうちいずれか１つに記載の情報処理装置であって、
前記第１及び第２のアクセス情報は、それぞれＵＲＬ（Uniform Resource Locator）である
情報処理装置。
【符号の説明】
【０１８４】
Ａ…番組
Ｂ〜Ｈ…他の番組
１０…インターネット
５０、４５０、５５０…表示画像
５１、５５１…表示領域
５２…表示番組のタイトル
５３…表示番組のサムネイル画像
５４…出演者の名前
５５…関連作品のサムネイル画像
５６…関連作品のタイトル
５７…音楽のタイトル
５８…音楽のサムネイル画像
５９、５５９…放送番組に関連するコメント
６１…他のチャンネルの番組のタイトル
６２、４６２、５６２…他のチャンネルの番組のサムネイル画像
６３…他のチャンネルの番組に関するコメント
７０…ユーザ
２００…情報処理装置
２１０…チューナ部
２２１、４２１…Ｗｅｂブラウザ
２２２、４２２…ＨＴＴＰサーバ
３００…サーバ
４００…ネットワークシステム
４０１…携帯端末
４０２…情報処理端末
４１０…ローカルネットワーク
４６３…他のチャンネルの番組の情報
４９０…情報処理システム
【図１】
0005796402.tif 000002
【図２】
0005796402.tif 000003
【図３】
0005796402.tif 000004
【図４】
0005796402.tif 000005
【図５】
0005796402.tif 000006
【図６】
0005796402.tif 000007
【図７】
0005796402.tif 000008
【図８】
0005796402.tif 000009
【図９】
0005796402.tif 000010
【図１０】
0005796402.tif 000011
【図１１】
0005796402.tif 000012
【図１２】
0005796402.tif 000013
【図１３】
0005796402.tif 000014
【図１４】
0005796402.tif 000015